(57)【特許請求の範囲】
【請求項１】
荷重を支持するための木材からなる荷重支持層と、燃え代部分と燃え止まり部分を有する集成層部材により形成される集成層と、集成層を形成する集成層部材を荷重支持層の外側に接合させるための接合手段と、からなる集成材であって、
集成層部材は、荷重支持層側に、燃え止まり木材と不燃材とを並列に並べて燃え止まり部分とし、表層側に、燃え止まり木材と不燃材に接するように燃え代木材を位置させて燃え代部分とし、一体的に形成した燃え代木材と燃え止まり木材に、不燃材を密着接合させた構成であり、
かつ、集成層部材の厚さ方向において、その表層側の５〜４０％を燃え代部分、荷重支持層側の６０〜９５％を燃え止まり部分に形成した構成であり、
また、隅角部で使用する集成層部材は、前記した集成層部材の燃え止まり木材の荷重支持層側の半分以上を補強不燃材にした構成であって、
集成層は、荷重支持層周りに、接合手段により集成層のほとんどは燃え止まり木材と不燃材とが交互になるように集成層部材を並べて接合し、集成層の隅角部は、集成層部材と、隅角部で使用する集成層部材と、の組み合わせで、不燃材、補強不燃材、不燃材、又は、不燃材、不燃材、補強不燃材の並びになるように接合して形成したことを特徴とする集成材。
【請求項２】
木材からなる荷重支持層は小径木の構造体で構成され、小径木の構造体は
（１）小径木の角材と、継手、仕口で使用するプレート金物とからなり、
（２）小径木の形状をプレート金物を埋められる形状に対応させて形成し、
（３）小径木の構造体は、構造体の一端にプレート金物を埋め込み、小径木同士とプレート金物の接合を構造体に直交したボルト又はビスを使用して強固に構成した小径木の構造体であることを特徴とする請求項１に記載の集成材。
【請求項３】
集成材は荷重支持柱集成材、荷重支持梁集成材、荷重支持筋交集成材、荷重支持火打梁集成材であることを特徴とする請求項１に記載の集成材からなる木造建築物。
【発明の詳細な説明】
【技術分野】
【０００１】
本発明は、集成材と集成材からなる木造建築物に関するものである。
【背景技術】
【０００２】
自然界では短命な鉄や鉄筋・鉄骨コンクリートや石油化学材料とは違い木材はセルロースが主な成分で自然界では分解や劣化が起き難い成分ですが水を含みと腐食菌で破壊され、シロアリによる食害、火災時の熱で焼失してしまいます。
火災時の熱で燃えない木造建築して木造の耐火構造にすることが大きな課題で燃える
木材を大規模建築や中高層建築の燃えない耐火構造にすることが必須で燃え代設計で準
耐火建築物の中層建築は可能になり、木造の耐火構造で大規模建築物や中高層建築物に
期待が寄せられています。
【０００３】
このような考え方に基づいて、火災時の熱で燃えない耐火構造の木造建築することで
北欧では木造で３４階建てが計画されています。
木材を水と結露と空気中の水分と切り離し、乾燥させて含水率を下げることで腐食菌
の腐食やシロアリによる食害もなく、木材のセルロース分解、劣化の進行が遅くなり、
木造で火災時の熱で燃えない耐火構造にすることで大規模建築物や中高層建築物が耐久
性も可能にできます。
【０００４】
木造の防火構造の背景技術を説明するための特許文献１については、荷重支持層と木
材から成る表層の燃え代層の間に燃え止まり層の三層構造になっている。燃え止まり層
は、木材より熱容量が大きい高熱容量材、前記燃え代層を構成する木材より熱慣性を高
くした木材等の異種材を有してなり、または不燃材にしてかつ断熱性を有する断熱材等
の異種材のみからなる複合木質構造材である。
この特許文献１の構成でも木材より熱容量が大きい木材で構成されている、結果木材
同志の連続性は見られなく絶縁されてので、通気性が確保できない。
【０００５】
また、木材の耐火構造の背景技術を説明するための特許文献２については、荷重支持
層と表層の燃え代層の間に燃え止まり層の燃え止まり部材の高熱容量材が連続してあり、
燃え止まり層が物理的に接した連続してある三層構造になっている。
また、柱と梁の仕口の梁の端部にも燃え止まり層が設けてあり燃え代層から熱が燃え
止まり層で遮られて熱が荷重支持層に行かない構造になっている。この特許文献２の構
成でも木材同志の連続性は見られなく絶縁されてので、通気性が確保できない。
ただ、特許文献２の構成では、柱、梁の隅角部には補強部材が集成されて隅角部の両
方からの加熱に対応した構造になり、柱、梁の仕口部にプレート金物を内蔵して梁を接
合させてドルフトピンで結合させているので燃え止まり層の燃え止まり部材を貫通し、
梁表層に露出している構造でドルフトピンに初期の火災の熱が伝導して熱の影響を大き
く受けることで荷重支持層に熱が伝導してドルフトピンと荷重支持層の結合部が緩む。
【先行技術文献】
【特許文献】
【０００６】
【特許文献１】特開２００５−５３１９５号
【特許文献２】特開２００８−１４０３６号
【発明の開示】
【課題を解決するための手段】
【０００７】  荷重を支持するための木材からなる荷重支持層と、燃え代部分と燃え止まり部分を有する集成層部材により形成される集成層と、集成層を形成する集成層部材を荷重支持層の外側に接合させるための接合手段と、からなる集成材であって、
集成層部材は、荷重支持層側に、燃え止まり木材と不燃材とを並列に並べて燃え止まり部分とし、表層側に、燃え止まり木材と不燃材に接するように燃え代木材を位置させて燃え代部分とし、一体的に形成した燃え代木材と燃え止まり木材に、不燃材を密着接合させた構成であり、
かつ、集成層部材の厚さ方向において、その表層側の５〜４０％を燃え代部分、荷重支持層側の６０〜９５％を燃え止まり部分に形成した構成であり、
また、隅角部で使用する集成層部材は、前記した集成層部材の燃え止まり木材の荷重支持層側の半分以上を補強不燃材にした構成であって、
集成層は、荷重支持層周りに、接合手段により集成層のほとんどは燃え止まり木材と不燃材とが交互になるように集成層部材を並べて接合し、集成層の隅角部は、集成層部材と、隅角部で使用する集成層部材と、の組み合わせで、不燃材、補強不燃材、不燃材、又は、不燃材、不燃材、補強不燃材の並びになるように接合して形成したことを特徴とする集成材。【０００９】
また、木材からなる荷重支持層は小径木の構造体で構成され、小径木の構造体は
（１）小径木の角材と、継手、仕口で使用するプレート金物とからなり、
（２）小径木の形状をプレート金物を埋められる形状に対応させて形成し、
（３）小径木の構造体は、構造体の一端にプレート金物を埋め込み、小径木同士とプレート金物の接合を構造体に直交したボルト又はビスを使用して強固に構成した小径木の構造体であることを特徴とする。
【００１０】  また、集成材は荷重支持柱集成材、荷重支持梁集成材、荷重支持筋交集成材、荷重支持火打梁集成材であることを特徴とする請求項１に記載の集成材からなる木造建築物。【００１１】
本発明の集成材を構成する集成層に使用される集成層部材が、集成層部材厚さの上側５〜４０％を燃え代部分に、下側６０〜９５％を燃え止まり部分に形成し、燃え代部分を燃え止まり部分よりも短くしたことを本発明の特徴としている。
このような構成すると、非火災時では燃え代部分の燃え代木材と、燃え止まり部分の燃え止まり木材と、荷重支持層の木材と連結しているので荷重支持層への通気性を確保でき、火災時には、集成材の表層にある燃え代部分の木材やそれに連結している燃え止まり部分の木材へと不燃材以外の部分が燃えていくが、燃えた木材部分は炭化していくので、その結果通気性が悪くなり、しかも、燃え代部分より燃え止まり部分の燃え止まり木材を長く形成している燃え止まり部分の途中で十分に燃え止まらせることができる。また、燃え止まり部の燃えなかった木材部分と不燃材により、荷重支持層への熱の伝導も十分に抑えることができるようになる。
【００１２】
集成層部材の好ましい構成として、集成層部材厚の上側２０％を燃え代部分に、下側８０％を燃え止まり部分に形成すると、非火災時では荷重支持層への通気性を確保しながら、火災時には、燃え止まり部分を燃え代部分より４倍長く形成しているので、燃え止まり部分の半分くらいで確実に燃え止まらせることができる。
【００１３】
集成材の隅角部を、燃え止まり部分の木材部分のうち荷重支持層側部分を補強不燃材で形成した集成層部材で構成するのは、隅角部は火災時において２方向より熱を受け燃え方が激しいので、燃え代部分の木材と燃え止まり部分の木材部分が灰化してしまう。その結果、通気性を抑えることができる。燃え止まり部分の構成として荷重支持層側の燃え止まり木材部分の半分以上を補強不燃材で形成した構成にすることにより、荷重支持層まで燃えてしまうのを防ぐことができる。すなわち、燃え止まり部分の不燃材と補強不燃材により集成材の隅角部を確実に燃え広がるのを抑えることができるように構成している。
【発明の効果】
【００１４】
本発明の集成材は、表層側の木材と荷重支持層側の木材の間の通気性を確保しながら、燃え止まり部分において、確実に火災時に燃え止まりさせることができ、荷重支持層への熱の影響を十分防止できる。また、集成材の隅角部においても、本発明の構成を用いると、確実に燃え止まる。その結果、使用している金物部への熱影響を極力小さくできるので、集成材への歪が発生せず、高品質と高耐久性の小径木集成材を構築できる。
【００１５】
本発明の集成材は、確実に荷重支持層への熱影響を確実に抑制することができる結果、金物への熱影響を少なくすることができるので、金物の熱歪を抑えることができる。その結果、高い熱耐久性を持った小径木集成材が構築できる。したがって、特に小径木からなる集成材を高層木造建築物に適用しても、長期耐久性・高品質・高安全性を確保でき、安心・安全を確保して生活することができる。
【００１６】
また、本発明の集成材は、通気性を確保できているので、四季の温度変化や日々の温度変化による使用している金物部での結露による錆発生や錆発生防止に伴う金物の耐久性が向上し、更には結露による木材の腐食を防止できる。その結果、集成材の歪発生を抑制でき、集成材の耐久性が向上する。
【００１７】
火災後に荷重支持層への影響がないので集成材を再生することで安全な木造建築物が再生できる。
【図面の簡単な説明】
【００１８】
【図１】隅部柱〜梁仕口部・断面平面詳細図
【図２】燃え代・燃え止まり集成材層・断面平面詳細図１
【図３】同燃え代・燃え止まり集成材層・断面平面詳細図２
【図４】同燃え代・燃え止まり集成材層の断面部分平面詳細図
【図５】隅部中間階柱〜梁仕口部・断面側面詳細図１
【図６】（Ａ）隅部中間階柱〜梁仕口部・断面平面図（Ｂ）同隅部中間階柱〜梁仕口部・断面側面図（Ｃ）３方向中間階柱〜梁仕口部・断面平面図（Ｄ）同３方向中間階柱〜梁仕口部・断面側面図（Ｅ）４方向中間階柱〜梁仕口部・断面平面図（Ｆ）同４方向中間階柱〜梁仕口部・断面側面図
【図７】隅部中間階柱〜梁仕口部・断面側面詳細図２（Ａ）同スラブ・梁貫通設備配管補強図
【発明を実施するための形態】
【００１９】
以下、本発明を実施するための最良の形態を図面に基づいて詳細に説明する。本発明の
図１に記載されているように、隅部柱〜梁仕口部・断面平面詳細図で図６（Ｂ）のＡ−Ａ断面平面詳細図で燃え代・燃え止まり集成層１−１を付加した荷重支持柱集成材５の内部にＩ字形相欠きプレート８をクロス交差させて直交したボルト１４と流動性エポキシ樹脂１９−１を介して強固に結合されて、２方向より燃え代・燃え止まり集成層１−１を付加した荷重支持梁集成材６のスリット状１３にＩ字形相欠きプレート金物８が挿入されて直交したボルト１４と流動性エポキシ樹脂１９−１を介して剛節固定されつつ、荷重支持梁集成材６間に荷重支持火打梁集成材１１が架かりＩ字形プレート金物２１と直交したボルト１４と流動性エポキシ樹脂１９−１を介して構造的に強固に結合され隅部が強化されています。
【００２０】
燃え代・燃え止まり集成層１−１を付加した荷重支持柱集成材５、荷重支持梁集成材６
荷重支持火打梁集成材１１と結合部に後付燃え代・燃え止まり集成層２０−１を耐火性接着剤４とビス１５を介して密着接合させて、燃え代・燃え止まり集成層１−１と一体成型になり火災時に耐火性能を発揮できます。
耐火性接着剤４はケイ酸ナトリウム水溶液およびポリ塩化アルミニウム水溶液の混合物やケイ酸ナトリウム水溶液や液体ガラス等で燃え代木材７−１と燃え止まり木材７−２や不燃材３や補強不燃材３４に塗布し、密着接合する。または不燃材３と燃え止まり木材７−２に塗布し、密着接合して材間の隙間をなくして空気の侵入を防ぎ、燃え進みを防止でき、燃え止まりを確実にできます。
不燃材３は繊維入りモルタル、強化プラスターボード、ケイ酸カルシウム板や繊維入りモルタル、強化プラスターボード、ケイ酸カルシウム板等にケイ酸ナトリウム水溶液およびポリ塩化アルミニウム水溶液を混合物やケイ酸ナトリウム水溶液や液体ガラスを減圧・加圧注入・乾燥した不燃性３を使用することにより耐火性、不燃性が強化されます。
ケイ酸ナトリウム水溶液およびポリ塩化アルミニウム水溶液の混合物は耐熱性構造体になります。
【００２１】
隅角部３３の荷重支持柱集成材５、荷重支持梁集成材６、荷重支持火打梁集成材１１に付加した燃え代・燃え止まり集成層１−１、後付燃え代・燃え止まり集成層２０−１には火災時に熱容量が大きくなり、燃え代木材７−１が燃えて炭化が進んでも確実に燃え止まりさせるため、隅角部３３に不燃材３と不燃材３の間の荷重支持集成材側に燃え止まり木材７−２の長さの半分以上の長さの補強不燃材３４を入れて耐火性接着剤４とビス１５を介して密着接合させたて火災時に２方向からの燃焼を確実に燃え止まりをさせて伝導熱の影響も排除させる構成です。
補強不燃材３４は繊維入りモルタル、強化プラスターボード、ケイ酸カルシウム板等や繊維入りモルタル、強化プラスターボード、ケイ酸カルシウム板等にケイ酸ナトリウム水溶液およびポリ塩化アルミニウム水溶液の混合物やケイ酸ナトリウム水溶液や液体ガラスを減圧・加圧注入・乾燥した不燃性を強化した補強不燃材３４を使用することにより耐火性、不燃性が強化されます。
荷重支持集成材やＩ字形相欠きプレート８、ボルト１４、ビス１５や耐火性接着剤４は火災時に熱及び余熱による影響を排除でき、荷重支持集成材の熱による接着性能の低下や金物の熱による歪が発生しにくい構成です。
また、Ｉ字形相欠きプレート８、Ｌ字形相欠きプレート１０、鍔付Ｉ字形相欠きプレート４４をクロス交差させた金物の代わりにクロス部を溶接して歪を直した十字形プレート２８、Ｔ字形プレート９、Ｌ字形十字プレート４３、鍔付Ｉ字形十字プレート４５等を使用も可能です。
尚、燃え代・燃え止まり集成層１−１を付加した荷重支持火打梁集成材１１を燃え代・燃え止まり集成層１−１を付加した荷重支持火打梁鋼管角パイプ（無収縮モルタル注入）３９にすることもできる。
【００２２】
燃え代・燃え止まり集成層１−１を付加した荷重支持柱集成材５、荷重支持梁集成材６、荷重支持火打梁集成材１１、荷重支持筋交集成材３６等の金物のＩ字形相欠きプレート８やＩ字形プレート２１、ボルト１４、ビス１５は火災時の熱の影響を排除するためスリット状１３、凹状４２に不燃シート＋埋木１８を挿入し、耐火性接着剤４を塗布して埋め込むことで火災時の熱による金物の歪、強度低下を排除でき、四季や日々の温度変化や温度変化による結露や歪の影響も排除できて構造体の耐久性が飛躍的に向上する。
また、荷重支持梁集成材６に上部には耐火のスラブ２６と耐火の後付スラブ２２を施工
し、荷重支持梁集成材６の上部にスラブ２６とスラブ２６を繋ぐための後打ちスラブ２２が施工され、耐火構造上も重要な構成で、スラブ２６は鉄筋コンクリート、ＰＣコンクリート板、ＡＬＣ発泡コンクリートやＱＬデッキのコンクリートやＣＬＴ厚板直交板４８に側面、底面、上面を被覆不燃材５２等の耐火構造です。
【００２３】
本発明は図２に記載されているように、燃え代・燃え止まり集成材層・断面平面詳細図１には表層部に燃え代部材の燃え代木材７−１があり、燃え止まり部の燃止まり木材７−２は間口に対して４倍の細長い燃え止まり木材７−２と同一寸法の細長い不燃材３が連続していて燃止まり木材７−２にビス１５と耐火性接着剤４を介して密着接合されることで燃え代・燃え止まり集成材層１−１が形成されて、荷重支持集成層に不陸粘着性接着剤２とビス１５を介して密着接合されます。
このような構成のため火災時に燃え代・燃え止まり集成材層１−１の表層部の燃え代部材の燃え代木材７−１が燃焼して炭化して空気が減少して燃え止まり層の燃え止まり部材の細長い燃え止まり木材７―２に燃え進んでも細長い不燃材３と細長い燃え止まり木材７―２が交互に形成され、耐火性接着剤４とビス１５を介して密着接合することで細長い燃え止まり木材７―２の半分位の長さの位置で４方向から空気供給が途絶えて燃え止まり、残りの細長い燃え止まり木材７―２と細長い不燃材３で火災時の余熱の伝導を制御することができ、荷重支持集成材や内部のＩ字形相欠きプレート金物８がクロス交差した金物やボルト１４、ビス１５に余熱の伝導させないため、熱による強度低下や熱による歪を排除できます。
不陸粘着性接着剤２はケイ酸ナトリウム水溶液およびポリ塩化アルミニウム水溶液の混合物や微細なグラスウール等とケイ酸ソーダや液体ガラス等を練り合わせることで荷重支持集成層に燃え代・燃え止まり集成材層１−１を接着するため接着面の微細な不陸面にも十分に接着性能を発揮できる接着剤となります。
【００２４】
荷重支持集成材の隅角部３３の集成材は燃え代・燃え止まり集成材層１−１で火災時に２方向より火災時に熱を受け、熱容量が大きくなるため荷重支持集成材側の燃え止まり木材７−２の長さの半分以上の長さの補強不燃材３４を設けたことで２方向からの火災時の熱を減少させることができ確実に燃え止まりさせることができ、荷重支持集成材の隅角部３３に火災時に熱のよる影響を最小限にして燃え止まりを確実にすることができます。
【００２５】
荷重支持集成材の木材と燃え止まり集成材層１−１の燃え止まり木材７−２、燃え代７−１は木材同志で親和性や通気ができることで長期的に木材性能が維持でき、高耐久性がある木造建築物ができます。
【００２６】
本発明は図３に記載されているように、燃え代・燃え止まり集成材層・断面平面詳細図２の構成は図２と同様ですが火災時に熱容量の大きい隅角部３３の不燃材３を太くして確実に熱を遮断でき、また、中央部の熱容量が少ない部分は不燃材３を細く、短くして燃え止まり木材を太くして、荷重支持集成材の木材との通気を確保しやすくして木材の性能を長期に維持でき、各材料を不連続に構成することで各材料の無駄を減らすことができます。
【００２７】
本発明は図４に記載されているように、燃え代・燃え止まり集成材層・断面部分平面詳細図で図３と同様の構成で拡大図です。（Ａ）は燃え代・燃え止まり集成層１−１の隅角部３３の構成ですが２方向からの熱を制御するために不燃材３を太くして、補強不燃材３４を太く長くして２方向からの熱を確実に制御できます。（Ｂ）は燃え代・燃え止まり集成層１−１の中央部が燃え止まり木材７−２を太くして荷重支持集成材の木材同志で通気性や親和性を高め木材性能を長く維持できるので高耐久性が確保できます。
【００２８】
本発明は図５に記載されているように、隅部中間階柱〜梁仕口部・断面側面詳細図１で図６（Ａ）のＢ−Ｂの断面側面詳細図です。
燃え代・燃え止まり集成層１−１を付加した荷重支持梁集成材６の内部にＩ字形相欠きプレート８をクロス交差させてボルト１４と流動性エポキシ樹脂１９−１を介して強固に結合されて、燃え代・燃え止まり集成層１−１を付加した荷重支持梁集成材６に設けられたスリット状１３にＩ字形相欠きプレート８が挿入されて直交したボルト１４と流動性エポキシ樹脂１９−１を介して強固に結合されつつ、荷重支持梁集成材６間に荷重支持火打梁集成材１１が架かり、Ｉ字形プレート２１と直交したボルト１４と流動性エポキシ樹脂１９−１を介して強固に結合された隅部が強化されています。
【００２９】
荷重支持柱集成材５、荷重支持梁集成材６、荷重支持火打梁集成材１１の仕口部の表面
は後付燃え代・燃え止まり集成層２０−１を耐火性接着剤４とビス１５を介して密着接合させて、燃え代・燃え止まり集成層１−１と一体成型になり、火災時に耐火性能を発揮できます。
【００３０】
荷重支持柱集成材５、荷重支持梁集成材６、荷重支持火打梁集成材１１に付加した燃え代・燃え止まり集成層１−１、後付燃え代・燃え止まり集成層２０−１の隅角部３３は火災時に熱容量大きくなるため隅角部３３に不燃材３の間の荷重支持集成材側に補強不燃材３４が入り耐火性接着剤４とビス１５を介して密着接合させた構成で火災時に２方向からの熱の影響を軽減させる構成です。
隅角部に補強不燃材３４が入ることで荷重支持集成材やＩ字形相欠きプレート８やボルト１４、ビス１５や耐火性接着剤４は火災時に熱のよる影響を排除でき、金物は熱による歪が発生しにくい構成です。
また、Ｉ字形相欠きプレート８の代わりに溶接されて歪を直した十字形プレート２８、Ｔ字形プレート９、Ｌ字形十字プレート４３等を使用も可能です。
尚、燃え代・燃え止まり集成層１−１を付加した荷重支持火打梁集成材１１を燃え代・燃え止まり集成層１−１を付加した荷重支持火打梁鋼管角パイプ（無収縮モルタル注入）３９にすることもできる。
【００３１】
燃え代・燃え止まり集成層１−１を付加した荷重支持柱集成材５、荷重支持梁集成材６、荷重支持火打梁集成材１１等の金物のＩ字形相欠きプレート８、Ｉ字形プレート２１、ボルト１４、ビス１５は火災時の熱の影響を排除するためスリット状１３、凹状４２に不燃シート＋埋木１８に耐火性接着剤４を塗布して挿入することで火災時の熱の影響を排除して金物の歪、強度低下を排除でき、四季や日々の温度変化や温度変化による結露や歪の影響も排除できて構造体の耐久性が飛躍的に向上する。
また、荷重支持梁集成材６に上部には耐火性のＰＣ鉄筋コンクリートのスラブ２６と耐
火性の鉄筋コンクリートの後付スラブ２２を荷重支持梁集成材６の上部にスラブ２６とスラブ２６を繋ぐための後打ちスラブ２２が施工され耐火構造上重要な構成にしています。
【００３２】
本発明の図６（Ａ）に記載されているように、隅部中間階柱〜梁仕口部・断面平面図の図６（Ｂ）のＡ−Ａ断面図です。
荷重支持柱集成材５の仕口部分の内部にＩ字形相欠きプレート８をクロス交差させてボルト１４と流動性エポキシ樹脂１９−１を介して強固に結合され、荷重支持梁集成材６に設けられたスリット状１３に挿入されてボルト１４と流動性エポキシ樹脂１９−１を介して強固に結合されてから後付燃え代・燃え止まり集成層２０−１が耐火性接着剤４とビス１５を介して密着接合させて、燃え代・燃え止まり集成層１−１と一体成型され、耐火性能を発揮できます。
荷重支持柱集成材５に２方向より荷重支持梁集成材６が挿入されて結合し、荷重支持火打梁集成材１１が荷重支持梁集成材６間に架けられ荷重支持梁集成材６の上部にスラブ２６と後打ちスラブ２２を設けた構成です。
荷重支持柱集成材５、荷重支持梁集成材６、荷重支持火打梁集成材１１には表層周囲に燃え代・燃え止まり集成層１−１を付加されています。
【００３３】
本発明の図６（Ｂ）に記載されているように、隅部中間階柱〜梁仕口部・断面側面図です。
荷重支持柱集成材５の仕口部分の内部にＩ字形相欠きプレート８をクロス交差させてボルト１４と流動性エポキシ樹脂１９−１を介して強固に結合され、荷重支持梁集成材６に設けられたスリット状１３に挿入されてボルト１４と流動性エポキシ樹脂１９−１を介して強固に結合されてから後付燃え代・燃え止まり集成層２０−１が耐火性接着剤４とビス１５を介して密着接合させて、燃え代・燃え止まり集成層１−１と一体成型され、耐火性能を発揮できます。
【００３４】
荷重支持柱集成材５に２方向より荷重支持梁集成材６が挿入されて結合し、荷重支持火打梁集成材１１が荷重支持梁集成材６間に架けられ隅部が補強され、荷重支持梁集成材６の上部にスラブ２６と後打ちスラブ２２を設けた構成です。
荷重支持柱集成材５、荷重支持梁集成材６、荷重支持火打梁集成材１１には表層周囲に燃え代・燃え止まり集成層１−１を付加されています。
また、Ｉ字形相欠きプレート８、Ｌ字形相欠きプレート１０、鍔付Ｉ字形相欠きプレート４４をクロス交差させた相欠きプレートの代わりにクロス部を溶接して歪を直した十字形プレート２８、Ｔ字形プレート９、Ｌ字形十字プレート４３、鍔付Ｉ字形十字プレート４５等を使用も可能です。
【００３５】
本発明の図６（Ｃ）に記載されているように、３方向中間階柱〜梁仕口部・断面平面図です。
荷重支持柱集成材５の仕口部分の内部にＩ字形相欠きプレート８をクロス交差させてボ
ルト１４と流動性エポキシ樹脂１９−１を介して強固に結合され、荷重支持梁集成材６に設けられたスリット状１３に挿入されてボルト１４と流動性エポキシ樹脂１９−１を介して強固に結合されてから後付燃え代・燃え止まり集成層２０−１が耐火性接着剤４とビス１５を介して密着接合させて、燃え代・燃え止まり集成層１−１と一体成型され、耐火性能を発揮します。
荷重支持柱集成材５に３方向より荷重支持梁集成材６が挿入されて結合し、荷重支持火打梁集成材１１が荷重支持梁集成材６間に架けられ荷重支持梁集成材６の上部にスラブ２６と後打ちスラブ２２を設けた構成です。
荷重支持柱集成材５、荷重支持梁集成材６、荷重支持火打梁集成材１１には表層周囲に燃え代・燃え止まり集成層１−１を付加されています。
【００３６】
本発明の図６（Ｄ）に記載されているように、３方向中間階柱〜梁仕口部・断面側面図です。
荷重支持柱集成材５の仕口部分の内部にＩ字形相欠きプレート８をクロス交差させてボ
ルト１４と流動性エポキシ樹脂１９−１を介して強固に結合され、荷重支持梁集成材６に設けられたスリット状１３に挿入されてボルト１４と流動性エポキシ樹脂１９−１を介して強固に結合されてから後付燃え代・燃え止まり集成層２０−１が耐火性接着剤４とビス１５を介して密着接合させて、燃え代・燃え止まり集成層１−１と一体成型され、耐火性能を発揮できます。
荷重支持柱集成材５に３方向より荷重支持梁集成材６が挿入されて結合し、荷重支持火打梁集成材１１が荷重支持梁集成材６間に架けられ荷重支持梁集成材６の上部にスラブ２６と後打ちスラブ２２を設けた構成です。
荷重支持柱集成材５、荷重支持梁集成材６、荷重支持火打梁集成材１１には表層周囲に燃え代・燃え止まり集成層１−１を付加されています。
【００３７】
本発明の図６（Ｅ）に記載されているように、４方向中間階柱〜梁仕口部・断面平面図です。
荷重支持柱集成材５の仕口部分の内部にＩ字形相欠きプレート８をクロス交差させてボ
ルト１４と流動性エポキシ樹脂１９−１を介して強固に結合され、荷重支持梁集成材６に設けられたスリット状１３に挿入されてボルト１４と流動性エポキシ樹脂１９−１を介して強固に結合されてから後付燃え代・燃え止まり集成層２０−１が耐火性接着剤４とビス１５を介して密着接合させて、燃え代・燃え止まり集成層１−１と一体成型され、耐火性能を発揮します。
荷重支持柱集成材５に４方向より荷重支持梁集成材６が挿入されて結合し、荷重支持火打梁集成材１１が荷重支持梁集成材６間に架けられ荷重支持梁集成材６の上部にスラブ２６と後打ちスラブ２２を設けた構成です。
荷重支持柱集成材５、荷重支持梁集成材６、荷重支持火打梁集成材１１には表層周囲に燃え代・燃え止まり集成層１−１を付加されています。
【００３８】
本発明の図６（Ｆ）に記載されているように、４方向中間階柱〜梁仕口部・断面側面図です。
荷重支持柱集成材５の仕口部分の内部にＩ字形相欠きプレート８をクロス交差させてボ
ルト１４と流動性エポキシ樹脂１９−１を介して強固に結合され、荷重支持梁集成材６に設けられたスリット状１３に挿入されてボルト１４と流動性エポキシ樹脂１９−１を介して強固に結合されてから後付燃え代・燃え止まり集成層２０−１が耐火性接着剤４とビス１５を介して密着接合させて、燃え代・燃え止まり集成層１−１と一体成型され、耐火性能を発揮します。
荷重支持柱集成材５に４方向より荷重支持梁集成材６が挿入されて結合し、荷重支持火打梁集成材１１が荷重支持梁集成材６間に架けられ荷重支持梁集成材６の上部にスラブ２６と後打ちスラブ２２を設けた構成です。
荷重支持柱集成材５、荷重支持梁集成材６、荷重支持火打梁集成材１１には表層周囲に燃え代・燃え止まり集成層１−１を付加されています。
【００３９】
本発明の図７に記載されているように、隅部中間階柱〜梁仕口部・断面側面詳細図２で図６（Ａ）のＢ−Ｂの断面側面詳細図です。
図６と同様の構成ですがスラブは被覆不燃材５２を上部、下部と側面を耐火被覆したＣＬＴ厚板直交板４８を設けて直交したボルト１４と流動性エポキシ樹脂１９−１を介して荷重支持梁集成材６、荷重支持火打梁集成材１１にアンカーして水平荷重に対応した剛節構造になり、遮音構造になっています。
また、壁面には筋交の変わる構造体として両面を被覆不燃材５２で耐火接着剤４を密着接合し、耐火被覆されたＣＬＴ厚板直交板４８を設けて直交したボルト１４で荷重支持柱集成材５、荷重支持梁集成材６にＩ字形プレート２１に直交したボルト１４と流動性エポキシ樹脂１９−１を介して剛接合された壁面で荷重支持柱集成材５、荷重支持梁集成材６とＣＬＴ厚板直交板４８で耐震壁構造の剛節構造になっている。
被覆不燃材５２のかわりに燃え代・燃え止まり集成材層１−１を耐火接着剤４で密着接合することで耐火性能は十分発揮できる。
（Ａ）はスラブ・梁貫通設備配管補強図でＣＬＴ厚板直交板４８に側面、底面、上面を
被覆不燃材５２を耐火性接着剤４で密着接合させて被覆し、スラブ貫通設備配管スリーブ５０を設けてＣＬＴ厚板直交板４８を補強Ｉ字形プレート５１で補強して直交したボルト１４と流動性エポキシ樹脂１９−１を介して結合させて隙間に被覆不燃材５２を充填し、給水管、排水管、電気配管を被覆不燃材５２で被覆することで竪穴区画できます。
荷重支持梁集成材６に梁貫通設備配管スリーブ４９を設けて補強Ｉ字形プレート５１で補強して直交したボルト１４と流動性エポキシ樹脂１９−１を介して結合ができ、荷重支持梁集成材６の断面欠損を補強し、給水管、排水管、電気配管を被覆不燃材５２で被覆することで防火区画の壁にできます。
【実施例】
【００４０】
本発明は、地域産の材料を利用して木造の耐火建築物の大規模建築や高層建築が可能となり安全で安らぎの潤いのある建築が生まれます。
教育施設の保育園、こども園、幼稚園、小学校、中学校、大学、体育館、講堂や公共施設の劇場、公会堂、集会所、公共建築物、市場や事務所、住宅、集合住宅、倉庫、展示場や医院、診療所、病院の潤いのある建物に適用できる。
【符号の説明】
【００４１】
1−１・・燃え代・燃え止まり集成材層
2・・不陸粘着性接着剤
3・・不燃材
4・・耐火性接着剤
5・・荷重支持柱集成材
6・・荷重支持梁集成材
7−１・・燃え代木材
7−２・・燃え止まり木材
8・・Ｉ字形相欠きプレート
9・・Ｔ字形プレート
10・・Ｌ字形相欠きプレート
11・・荷重支持火打梁集成材
12・・構造接着剤
13・・スリット状
14・・ボルト
15・・ビス
16・・大入れ部
17・・取り付けビス
18・・不燃シート＋埋木
19−１・・流動性エポキシ樹脂
19−２・・流動性エポキシ樹脂注入孔
20−１・・後付燃え代・燃え止まり集成層
21・・Ｉ字形プレート
22・・後打ちスラブ
23・・柱継手部
24・・上部材
25・・下部材
26・・スラブ
27・・梁天端より500〜1000ｍｍ場所
28・・十字形プレート
29・・アンカーボルト
30・・ベースプレート
31・・無収縮モルタル
32・・基礎コンクリート
33・・隅角部
34・・補強不燃材
35・・大入れ部
36・・荷重支持筋交集成材
37・・銅板
38・・定着用孔
39・・荷重支持火打梁鋼管角パイプ（無収縮モルタル注入）
40・・荷重支持筋交鋼管角パイプ（無収縮モルタル注入）
41・・鍔付設備用プレート付スリーブ管
42・・凹状
43・・Ｌ字形十字プレート
44・・鍔付Ｉ字形相欠きプレート
45・・鍔付Ｉ字形十字プレート
46・・ボルト孔
47・・小径木
48・・ＣＬＴ厚板直交板
49・・梁貫通設備配管スリーブ
50・・スラブ貫通設備配管スリーブ
51・・補強Ｉ字形プレート
52・・被覆不燃材
【要約】
【課題】本発明の集成材は火災時に燃え代・燃え止まり集成材層１の燃え代木材７−１が燃えて炭化して燃え止まり木材７−２に燃え進んでも不燃材３に挟まれた燃え止まり木材７−２が確実に燃え止まることができる木造建築物の耐火構造で高耐久構造を開発することです。
【解決手段】本発明の集成材は荷重支持層に並列に並べられて接合され、木材同志で通気があり、荷重支持層に並列に並べられて接合され、集成層は、集成層厚さの５〜４０％外側に燃え代部分を６０〜９５％内側に燃え止まり部分に細長い燃え止まり木材７−２と細長い不燃材３で形成することで木造の耐火構造で耐久構造ができて木造の高層建築物にしても安全が保障されている。
【選択図】  図１【図１】
0006051413.tif 000002
【図２】
0006051413.tif 000003
【図３】
0006051413.tif 000004
【図４】
0006051413.tif 000005
【図５】
0006051413.tif 000006
【図６】
0006051413.tif 000007
【図７】
0006051413.tif 000008